(57)【要約】      （修正有）【課題】電気カーペット運転中のカーペット本体の左右面のいずれか一方を通電する面切換状況及び暖房の強弱、すなわち温度調節表示を視認性良く表示することができる電気カーペットを提供する。【解決手段】電気カーペットは、２系統の発熱線が配設されたカーペット本体と、発熱線への交互運転を含む通電を制御する制御部と、制御部が収納され、カーペット本体の一部に取り付けられたコントローラケース４と、カーペット本体の設定温度の強弱を知らせる複数の温度調節表示光源及び２系統の発熱線の切換を知らせる２つの切換表示光源とが前記コントローラケース内部に配置され、コントローラケースの上面部に温度調節表示光源及び切換表示光源の点灯光を透過する窓６，７と、を備える。【選択図】図２
0003194266.tif 000002
【実用新案登録請求の範囲】
【請求項１】
２系統の発熱線が配設されたカーペット本体と、
前記発熱線への交互運転を含む通電を制御する制御部と、
前記制御部が収納され、前記カーペット本体の一部に取り付けられたコントローラケースと、
前記カーペット本体の設定温度の強弱を知らせる複数の温度調節表示光源及び２系統の発熱線の切換を知らせる２つの切換表示光源とが前記コントローラケース内部に配置され、
前記コントローラケースの上面部に前記温度調節表示光源及び前記切換表示光源の点灯光を透過する窓と、
を備えることを特徴とする電気カーペット。
【考案の詳細な説明】
【技術分野】
【０００１】
本考案は、一般家庭で暖房用として用いられる電気カーペットに関するものである。詳しくは、暖房運転中の温度調整の強弱を視認性良くするとともに節電、すなわち低消費電力を実現することができる電気カーペットに関する。
【背景技術】
【０００２】
従来、電気カーペットとしては、通電により発熱する発熱体を有し発熱体の発熱により採暖を行うカーペットにおいて、発熱体への通電を制御する制御部の操作摘子を操作摘子の操作位置が上面及び側面方向より確認できるように上面及び側面部を有する形状に形成した電気カーペトが公知である（特許文献１）。
【０００３】
また、電気カーペットの電源部にパイロットランプ内蔵のスイッチと電源コードを有し、電源スイッチを入れた時にスイッチ内部のパイロットランプが点灯して、スイッチが明るくなり表示するもので、これが点灯中は通電中であることを使用者に知らせ、使用しない場合の電源の切り忘れを防止したものが公知である（特許文献２）。
【先行技術文献】
【特許文献】
【０００４】
【特許文献１】実開昭５９−１７２９１３号公報
【特許文献２】実開昭６３−１６８７２５号公報
【考案の概要】
【考案が解決しようとする課題】
【０００５】
ところで、近年の電力需給の逼迫から、電気カーペット運転中の暖房の強弱をこまめに調節したり、電気カーペットの採暖面を２面等設けて不要不急の採暖面の通電を停止したり、工夫して節電を実現することが求められている。
【０００６】
しかしながら、従来の電気カーペットの使用時に上面及び側面方向より確認できるように上面及び側面部を有する形状を設けることや、電源スイッチ内部のパイロットランプが点灯することで通電中を知らせることは有効であるものの、暖房の強弱をこまめに調節したりするためには視認性が十分とはいえなかった。
【０００７】
この考案は、かかる技術的背景に鑑みてなされたものであって、電気カーペット運転中のカーペット本体の左右面のいずれか一方を通電する面切換や、交互運転の状況及び暖房の強弱、すなわち温度調節表示の視認性良く表示することができる電気カーペットを提供することを目的とする。
【課題を解決するための手段】
【０００８】
本考案の電気カーペットは、２系統の発熱線が配設されたカーペット本体と、前記発熱線への交互運転を含む通電を制御する制御部と、前記制御部が収納され、前記カーペット本体の一部に取り付けられたコントローラケースと、前記カーペット本体の設定温度の強弱を知らせる複数の温度調節表示光源及び２系統の発熱線の切換を知らせる２つの切換表示光源とが前記コントローラケース内部に配置され、前記コントローラケースの上面部に前記温度調節表示光源及び前記切換表示光源の点灯光を透過する窓と、を備えることを特徴とする。ここで、交互運転は２系統ある発熱線の一方ずつある時間間隔で交互に通電を行う運転をいう。
【考案の効果】
【０００９】
本考案の電気カーペットは、カーペット本体に２系統の発熱線が配設され、発熱線への交互運転を含む通電を制御する制御部を備えた構成であるから、使用者の人数に応じて２系統の発熱線の通電を制御することで、カーペット本体の左右面のいずれか一方を通電する面切換や、左右交互通電することが可能であることから消費電力を抑制することができるので節電に対して効果的であるばかりでなく、コントローラケース内部に配置されたカーペット本体の設定温度の強弱を知らせる複数の温度調節表示光源及び２系統の発熱線の切換を知らせる２つの切換表示光源と、コントローラケースの上面部に温度調節表示光源及び切換表示光源の点灯光を透過する窓とを備えた構成であるから、例えば使用者がコントローラケースから遠い位置に座っていたとしても、コントローラケースの上面部に設けられた窓を通して温度調節表示光源及び切換表示光源を容易にかつ十分に視認することができるので、運転状況を容易に把握できることができるという利点がある。このことから本考案の電気カーペットによって使用者は実質的な節電を容易に実現することができる。
【図面の簡単な説明】
【００１０】
【図１】本考案の電気カーペット一実施形態を示した説明図である。
【図２】図１のコントローラケースを示した説明図である。
【考案を実施するための形態】
【００１１】
本考案に係る電気カーペットの一実施形態を図１に示す。電気カーペットは電気カーペット本体（１）の上にカーペットカバー（２）（図示せず。）を重ねて使用される。図１において、（１）は電気カーペット本体、（３−１）は発熱線Ａ、（３−２）は発熱線Ｂ、（４）はコントローラケースである。図２は、図１のコントローラケース（４）を示しており、（５）は電源スイッチ、（６）は温度調節表示光源用窓、（７）は切換表示光源用窓、（８）は温度調節用の弱スイッチ、（９）は温度調節用の強スイッチ、（１０）は面切換スイッチである。
【００１２】
前記カーペット本体（１）は、２系統の発熱線（３）すなわち発熱線Ａ（３−１）と発熱線Ｂ（３−２）が配設されており、前記カーペット本体（１）の形状は特に限定はされないが、矩形状が好ましい。また、前記カーペット本体（１）の一部にコントローラケース（４）が取り付けられているが、前記カーペット本体（１）の１つのコナー部に固定されるのが好ましい。前記コントローラケース（４）は、平面略矩形状であり全体が略ボックス形状が好ましい。そして、前記コントローラケース（４）内には、前記発熱線Ａ（３−１）と発熱線Ｂ（３−２）への交互運転を含む通電を制御する制御部が収納されるとともに、前記カーペット本体（１）の設定温度の強弱を知らせる複数の温度調節表示光源及び２系統の発熱線（３）の切換を知らせる２つの切換表示光源とが配置されている。前記コントローラケース（４）の上面には、前記コントローラケース（４）の上面部には前記温度調節表示光源及び前記切換表示光源の点灯光を透過する窓を備えてなり、順に温度調節表示光源用窓（６）と切換表示光源用窓（７）である。
【００１３】
本考案の実施例として、前記コントローラケース（４）に設けられた電源スイッチ（５）を「入」にすると、制御部が制御を開始するとともに、温度調節表示光源が１つ点灯するとともに、切換表示光源の左右とも点灯する。なお、温度調節表示光源の点灯は温度調節表示光源用窓（６）を通して視認でき、切換表示光源の点灯は切換表示光源用窓（７）を通して視認できるので、運転開始時の運転状況を容易に把握ですることができる。
【００１４】
本考案のカーペット本体（１）の運転開始後、温度調節用の強スイッチ（９）を操作することで設定温度を高く設定することができる。この場合、前記強スイッチ（９）を操作することで温度調節表示光源が強スイッチ（９）側に向かって順次点灯数が増加する。設定温度を高く設定した後に、温度調節用の弱スイッチ（８）を操作することで設定温度を低く設定することができる。この場合、前記弱スイッチ（８）を操作することで温度調節表示光源が弱スイッチ（８）側に向かって順次点灯数が減少する。
【００１５】
本考案のカーペット本体（１）は、利用人数に応じて面切換スイッチ（１０）を操作して「左」、「右」、「交互運転」のいずれかの運転を選択することができ、順に切換表示光源の左のみが点灯、右のみが点灯、交互に点灯消灯を繰り返す。
【００１６】
また、本考案のカーペット本体（１）に交互運転を設けることで発熱線の定格電力を抑えることができる。すなわち、２系統の発熱線（３）のそれぞれ発熱線Ａ（３−１）と発熱線Ｂ（３−２）とを交互通電するため、発熱線Ａ（３−１）、発熱線Ｂ（３−２）のいずれも低定格電力とすることができるので、大幅に消費電力を抑制することができる。
【００１７】
さらに、各コントローラケース（４）の各スイッチは、「切」「入」「弱」「強」「面切換」等文字を大きく表示するだけでなく点字と併用することが好ましい。このようにすることで、目の不自由な人にとって操作がわかり易くなるので好ましい。また、各スイッチを操作する毎に例えば「ピッ」、「ピッツ」等の音を発するようにすることも好ましい。確実に操作されたことを知らせるので、使用者は意図した操作か否か音で気づくことができる。
【００１８】
以上のように、本考案のカーペット本体（１）の利用人数に応じて面切換スイッチ（１１）を操作して「左」、「右」、「交互運転」を切換えることによる節電と相まって、コントローラケース（４）の上面部に設けられた窓を通して温度調節表示光源及び切換表示光源を容易にかつ十分に視認することができるので、運転状況を容易に把握できることができるので、利用人数に応じた適切な判断を行えるので、本考案の電気カーペットによって使用者は節電を容易に実現することができる。
【符号の説明】
【００１９】
１・・・電気カーペット本体
３・・・発熱線
３−１・・・発熱線Ａ
３−２・・・発熱線Ｂ
４・・・コントローラケース
５・・・電源スイッチ
６・・・温度調節表示光源用窓
７・・・切換表示光源用窓
８・・・温度調節用の弱スイッチ
９・・・温度調節用の強スイッチ
１０・・・面切換スイッチ
【図１】
0003194266.tif 000003
【図２】
0003194266.tif 000004